(57)【要約】【課題】  ディスクを傷付ける恐れがなく、かつ、構成の簡素化と小型化を図り得るディスク再生機を提供すること。【解決手段】  ローディングモータの動力を作動手段及びクラッチ手段を介してローラに伝達し、ディスクを搬送する。そしてディスクの移動力により誘導ラック板を作動手段のギヤに噛合させ、誘導ラック板がローディングモータの動力を受けて移動してスライダを作動手段のギヤに噛合させる。そして、スライダの移動により、クラッチ手段を動力伝達経路から外し、ローラをディスクから離反させ、クランパをディスク挟持位置へ移動させる。【選択図】図１１
2008226338.tif 000002
【特許請求の範囲】
【請求項１】
ディスクの挿入を検知してローディングモータ（４１）を起動させ、ローディングモータによりローラ（１７８）を回転させて前記ディスクを装填位置まで搬送した後、ローラを停止させ、ローディングモータの動力により該ローラをディスクから離反させると共にクランパ（１１０）をターンテーブル（１３）と協働してディスクを挟持する位置へ移動するディスク再生機において、
前記ローディングモータに回転駆動されるギヤ（１７２）を含む作動手段（４３，１６８，１６９，１７０，１７１）と、
この作動手段と前記ローラとの間の動力伝達経路を適宜遮断するクラッチ手段（１６７，１７３，１７７）と、
前記ローラによるディスクの搬送力を受けて移動して前記作動手段のギヤに噛合する誘導ラック板（１６１）と、
動力遮断部、ローラ離反部及びラック部（１９７）を有し、前記誘導ラック板が前記作動手段のギヤに噛合して前記モータの動力により移動するとき該誘導ラック板に押されて移動して該作動手段のギヤに噛合するスライダ（１８０）とを具備し、
前記動力遮断部で前記クラッチ手段を遮断側に切替え、前記ローラ離反部によりローラをディスクから離反させると共に、該スライダの移動により前記クランパをディスク挟持位置へ移動させることを特徴とするディスク再生機。
【請求項２】
前記ローラ離反部を、前記スライダが前記ローディングモータの動力を受けて移動する際、該スライダの移動に伴ない前記ローラの軸を押圧する突カム（１９５）としたことを特徴とする請求項１に記載のディスク再生機。
【発明の詳細な説明】
【技術分野】
【０００１】
本発明は、構成の簡素化と小型化を図ったディスク再生機に関する。
【背景技術】
【０００２】
特開２００５−２５９２６１号公報には、次のようなディスクローディング装置が開示されている。すなわち、ディスクが挿入口に差し込まれると、スライダの移動によりモータ３４の開始スイッチが押動される。これによりモータ３４が起動し、その動力が出力ギア３５、第１二段歯車３６及び第２二段歯車３７を介して太陽歯車３８及び遊星歯車４０に伝達され、遊星歯車４０の自転が伝達歯車５０に伝えられる。さらに、その動力はウォームギア５１、二段歯車５２及び中間歯車５３を介して、ローラギア５４に伝えられ、ローラ２８が回転してディスクが搬送される。また、ローラ２８のシャフト２９が、第１移動部材６に形成された傾斜壁に沿って下方へ移動するに従って、ローラ２８がディスクから離反する。
前記遊星歯車４０はキャリヤ部材３９に取付けられており、ディスクが所定位置まで搬送されるとキャリヤ部材３９が移動して遊星歯車４０が内歯歯車４１に噛合しながら公転し、動力伝達位置から離反する。
【０００３】
また、特開２００５−３０２２１３号公報には、次のようなディスク搬送力接続切替機構が開示されている。すなわち、搬送ローラ１６の回転によりディスク４４を搬送するとディスク４４が検知レバー７を押圧して回動させ、検知レバー７がトリガープレート１７を押圧してラック１７ｃをピニオンギヤ２５ａに噛合させる。その後はモータ１９の回転を利用してトリガープレート１７をスライドさせて、搬送ローラ１６への動力伝達経路から遮断し、搬送ローラ１６をディスク４４から離反させ、クランパ３７をチャッキング位置に移動させるようにしている。
【特許文献１】特開２００５−２５９２６１号
【特許文献２】特開２００５−３０２２１３号
【発明の開示】
【発明が解決しようとする課題】
【０００４】
特開２００５−２５９２６１号公報に開示されたディスクプレーヤでは、大径の内歯歯車内や遊星歯車を必要とするため構成が複雑化すると共に小型化が困難であった。
【０００５】
特開２００５−３０２２１３号公報に開示されたディスク搬送力接続切替機構では、搬送ローラの回転によるディスクの搬送力を利用してトリガープレートを移動して、トリガープレートのラックをピニオンギヤに噛合させるようにしているので、ディスクの搬送力を強めねばならず、そのためには搬送ローラをディスクに対して強力に押付ける必要がある。従って、搬送ローラの強力な押付けによりディスクを傷付ける恐れがあり、押付け力を弱めると動作が不確実となる問題があった。
【０００６】
本発明は、このような問題に鑑みてなされたもので、ディスクを傷付ける恐れがなく、かつ、構成の簡素化と小型化を図り得るディスク再生機を提供することを目的とする。
【課題を解決するための手段】
【０００７】
ディスクの挿入を検知してローディングモータを起動させ、ローディングモータによりローラを回転させて前記ディスクを装填位置まで搬送した後、ローラを停止させ、ローディングモータの動力により該ローラをディスクから離反させると共にクランパをターンテーブルと協働してディスクを挟持する位置へ移動するディスク再生機において、前記ローディングモータに回転駆動されるギヤを含む作動手段と、この作動手段と前記ローラとの間の動力伝達経路を適宜遮断するクラッチ手段と、前記ローラによるディスクの搬送力を受けて移動して前記作動手段のギヤに噛合する誘導ラック板と、動力遮断部、ローラ離反部及びラック部を有し、前記誘導ラック板が前記作動手段のギヤに噛合して前記モータの動力により移動するとき該誘導ラック板に押されて移動して該作動手段のギヤに噛合するスライダとを具備する。そして、スライダの移動により、その動力遮断部で前記クラッチ手段を遮断側に切替え、ローラ離反部によりローラをディスクから離反させる。また、該スライダの移動により前記クランパをディスク挟持位置へ移動させることを特徴とするディスク再生機。
【０００８】
前記ローラ離反部を、前記スライダが前記ローディングモータの動力を受けて移動する際、該スライダの移動に伴ない前記ローラの軸を押圧する突カムとするとよい。
【発明の効果】
【０００９】
本発明のディスク再生機は、ローディングモータの動力を作動手段に伝達し、作動手段によりクラッチ手段を介して第二作動手段に伝達し、第二作動手段によりローラを回転させディスクを搬送する。そしてディスクの移動力により誘導ラック板を移動して作動手段のギヤに噛合させ、その後は誘導ラック板がローディングモータの動力を受けて移動してスライダを作動手段のギヤに噛合させる。このスライダの移動により、クラッチ手段を動力伝達経路から外し、ローラをディスクから離反させ、クランパをディスク挟持位置へ移動させるように構成されるので、従来のように大径の内歯ギヤ、多くのギヤ及びその他部品を必要とせず、機構の簡素化と小型化とを図ることができる。
【００１０】
また、ディスクがディスク位置決め機構によって位置決めされると、直ちにローラの回転が停止するので、ローラがディスクに接触した状態で空回りすることはなく、ローラの回転により、ディスクのデータ記録面に傷をつけることはない。
【００１１】
さらに、ディスクの移動力により誘導ラック板を作動手段のギヤに噛合させると、該誘導ラック板がローディングモータの動力を受けて移動してスライダを作動手段のギヤに噛合させ、スライダの移動によりローディングモータからローラへの動力伝達経路の遮断、ローラのディスクからの離反、及びクランパの移動を行なうようにしているので、ディスクの移動力を強めることなく確実な動作を行なうことができ、ディスクを傷付ける恐れがない。
【００１２】
さらに、前記ローラ離反部を突カムとすることにより、一層簡素な構成で、ローラをディスクから離反させることができる。
【発明を実施するための最良の形態】
【００１３】
以下、本発明を実施するための最良の形態を、図面を参照して説明する。
図１は車載用のディスク再生機の機構部１の外観を示す斜視図である。前記ディスク再生機の機構部１の正面には、大径ディスクＤ１又は小径ディスクＤ２を挿脱するディスク挿入口２が設けられている。矢印Ａはディスク挿入方向を示し、その逆方向はディスク脱着方向となる。そして、これらディスク挿入方向とディスク脱着方向とを合わせて、ディスク挿脱方向とする。
【００１４】
図２は、前記ディスク再生機の機構部１を上ユニット３と下ユニット４とに分けて示す分解斜視図である。
図３は前記上ユニット３を示す平面図であり、図４は前記下ユニット４を示す平面図である。
前記上ユニット３は、図２及び図３に示すように、上フレーム５（仮想線で示す）、ディスク検知機構６、ディスク径判別機構７、ディスク位置決め機構８、クランプ機構９及びローディング機構１０の一部で構成されている。
【００１５】
前記下ユニット４は、図２及び図４に示すように、下フレーム１１、３箇の緩衝部材よりなるダンパ１２、マグネットを内蔵するターンテーブル１３やピックアップ１４等を含むピックアップユニット１５、制御回路を設けた回路基板１６及びローディング機構１０の他の一部で構成されている。
【００１６】
図２及び図３の如く、略矩形状の金属板からなる前記上フレーム５は、天板１７の四辺より下方に折曲形成された側板を有し、その左右側板１８，１９のディスク挿脱方向における前部及び後部にそれぞれ重ね合せ部２０，２１を設けている。また図２及び図４の如く、略矩形状の金属板からなる前記下フレーム１１は、底板２２の四辺より上方に折曲形成された側板を有し、その左右側板２３，２４のディスク挿脱方向における前部及び後部とに、それぞれ重ね合せ部２５，２６を設けている。そして、上フレーム５と下フレーム１１との合体は、互いの対応する重ね合せ部同志を重ね合わせ、ねじ２７にて固定することにより行なっている。
【００１７】
図２及び図３の如く、前記天板１７は、その前部に、上面側から下方に向けて押出し加工した左右方向に長い凹みを形成してその部位を第二装着部２８とし、その他の部位を第一装着部２９としている。そして、第一、第二装着部２９、２８間の段差部３０には、適宜切欠部３１を設けている。また、第二装着部２８は、後述するガイド突条２０３（図１２参照）と共にディスクガイド３２も構成するもので、その裏面側は、ディスク搬送路となっている。
【００１８】
前記第一装着部２９の下面には前記ディスク検知機構６の一部、ディスク径判別機構７、ディスク位置決め機構８、クランプ機構９及びローディング機構１０の一部が装着される。
【００１９】
図２及び図４の如く、前記下フレーム１１の底板２２上面には、前記３箇のダンパ１２の各胴部３３を固定している。そして、各ダンパ１２の頭部３４を前記ピックアップユニット１５の一部に取付けて、ピックアップユニット１５がこれらのダンパ１２を介して、下フレーム１１に対してフローティング状態に支持されるようにしている。また、底板２２上には、図４の如く、前記ピックアップユニット１５の図中右方に前記回路基板１６が取付けられている。
【００２０】
前記回路基板１６には、前記制御回路中の５つのスイッチが配置されている。第一スイッチ３５は、大、小いずれかのディスクが前記ディスク挿入口２から挿入されたことを検出する。第二スイッチ３６は、大、小いずれかのディスクが前記ターンテーブル１３への装着を完了したことを検出する。第三スイッチ３７は、大径ディスクＤ１が排出されたことを検出する。第四スイッチ３８は、小径ディスクＤ２が排出されたことを検出する。第五スイッチ３９は、大、小いずれかのディスクがディスク再生機内に挿入されていることを検出する。
【００２１】
一方、前記下フレーム１１の右側板２４は、後部を内側に折曲させた折曲片４０とし、この折曲片４０には、前記ローディング機構１０の一部であるローディングモータ４１を装着している。このローディングモータ４１は、前記回路基板１６上の制御回路に配線にて接続されている。ローディングモータ４１のシャフト４２には、ウォームギヤ４３が装着される。更に、右側板２４の内面には、前記ウォームギヤ４３の回転を受ける下ギヤ群４４を取着している。
【００２２】
図５は、前記ディスク検知機構６及びディスク径判別機構７を示す平面図である。前記ディスク検知機構６は、左右一対の水平回動自在なディスク検知部材４５，４６と、左右一対の部分ギヤ４７，４８と、左右一対のコイルばね４９とで構成されている。ディスク検知機構６は、第一装着部２９の下面と第二装着部２８の上面に取付けられている。
【００２３】
前記ディスク検知部材４５，４６は、挿入されたディスクが大径か小径を検知するもので、第一装着部２９の下面側に突設された支軸５０，５１にそれぞれ回動自在に装着され、前記切欠部３１から第二装着部２８の上面側を通過して前記ディスク挿入口２の近傍まで延長され、各延長端には下方に延びた検知部５２，５３（図２参照）を有している。両ディスク検知部材４５，４６は、前記切欠部３１の範囲内で回動自在となっており、前記コイルばね４９の付勢力により切欠部３１の終端に一部を当接させて、初期位置を維持している。また、各ディスク検知部材４５，４６は、前記支軸５０，５１と同心のギヤ部５４，５５を有している。
【００２４】
更に、左方のディスク検知部材４５には連結ピン５６、右方のディスク検知部材４６には連結ピン５７を、それぞれ設けている。両ディスク検知部材４５，４６の下面側には、それぞれ、各ギヤ部５４，５５近傍から各連結ピン５６，５７近傍に向けて、漸次下方向への高さを増すように傾斜した傾斜リブ５８，５９が設けられている。また、前記傾斜リブ５８，５９の近傍には弾性片６０，６１が設けられ、これらの弾性片６０，６１を第一装着部２９の下面に弾性的に常時圧接させて、検知部材４５，４６の振動によるラットルノイズの発生を防止するようにしている。
【００２５】
前記一対の部分ギヤ４７，４８は、前記第二装着部２８上面の、前記両ディスク検知部材４５，４６間に、支軸６２，６３を介して回動自在に装着されている。各部分ギヤ４７，４８は各支軸６２，６３と同心の第一ギヤ部６４，６５及び第二ギヤ部６６，６７と、フック部６８，６９とを有するもので、第二ギヤ部６６，６７を互いに噛合させ、各第一ギヤ部６４，６５は、前記各ディスク検知部材４５，４６のギヤ部５４，５５にそれぞれ噛合させている。そして、各フック部６８，６９と第二装着部２８との間に前記コイルばね４９を掛け渡して、両ディスク検知部材４５，４６の検知部５２，５３を互いに接近させる方向に付勢している。
【００２６】
なお、各部分ギヤ４７，４８には、第一ギヤ部６４，６５の各端部に、１歯分を欠いた凹部７０，７１が設けられ、ディスク検知部材４５，４６には、各ギヤ部５４，５５に連なる凸部７２，７３が設けられている。凸部７２，７３の幅寸法はギヤ部５４，５５の歯幅より充分広く設定され、ディスクが挿入されていない状態において、凹部７０，７１と凸部７２，７３とが互いに凹凸嵌合するようにしている。
【００２７】
これら凹部７０，７１及び凸部７２，７３は、両ディスク検知部材４５，４６及び部分ギヤ４７，４８の、第二装着部２８及び第一装着部２９への取付けを容易にするための位置合せの目安とするものである。また、起動時の負荷を凸部７２，７３で受けるようになるので、ギヤ部５４，５５の強度を高めるためにわざわざ高価な材料を使用したり、歯の厚みを増加する必要がない。
【００２８】
前記ディスク径判別機構７は、大径ディスク検知手段である往復動部材７４と、係止手段である回動部材７５と、ロック部材７６と、回動部材７５を回動付勢するばね７７とで構成されている。このディスク径判別機構７は、前記ディスク検知機構６の図中左奥側位置において、前記第一装着部２９の下面側に装着されている。
【００２９】
前記往復動部材７４は細長い板状をなし、その長手方向をディスク挿脱方向に向けて配置されている。往復動部材７４は、前端部にディスク挿脱方向に直交する長孔７８を有して、この長孔７８に前記ディスク検知部材４５の連結ピン５６に嵌合させ、前記ディスク検知部材４５の回動に連動して、ディスク挿脱方向に往復動するようになっている。また、往復動部材７４は、後端近傍に円柱形状のピン７９を上方に向けて突出させるとともに、裏面側に、その長手方向全長に亘る薄壁８０を有している。この薄壁８０は、ディスク挿脱時においてディスクの左方向への極端な偏りを規制するものである。
【００３０】
前記回動部材７５は、往復動部材７４の図中奥側位置において、前記第一装着部２９の下面に支軸８１を介して回動自在に取付けられ、ばね７７により反時計方向に付勢されている。この回動部材７５も細長い板状をなし、その長手方向をディスク挿脱方向に向けて配置されており、その長手方向に長い開口を有している。また、回動部材７５は、その前端に鉤部８２を設け、右側面の中間部には大径ディスク係止用の第一係止部８３、右側面の前端部には小径ディスク係止用の第二係止部８４を、それぞれ設けている。また、前記開口内には、左側面に、ほぼ中央から奥へ向けて高さを増すように傾斜するカム面８５を設けると共に、右側面に、前記ピン７９を係止する第三係止部８６を設けている。
【００３１】
前記ロック部材７６は、前記第一装着部２９の下面に回動自在に軸支され、回動軸近傍から前方へ延びる被押圧壁８７と、回動軸の左方にあって、回動軸から最も遠い位置に位置する円柱部８８とを有し、これら被押圧壁８７と円柱部８８との間には、前記回動部材７５の鉤部８２が適宜侵入可能な間隔をあけている。
【００３２】
図６は、前記ディスク位置決め機構８及びクランプ機構９を示す平面図である。図６の如く、前記ディスク位置決め機構８は、ストッパ手段である左右一対のストッパ部材８９，９０と、ディスク装填検出手段であるトリガ部材９１と、右方のストッパ部材９０を図中時計方向に回動付勢する図示しない付勢ばねとで構成されている。このディスク位置決め機構８は、前記クランプ機構９の奥側に配置されている。
【００３３】
前記左右一対のストッパ部材８９，９０は、それぞれ支軸、すなわち後述する回動部品取付機構２４７を介して前記第一装着部２９の下面側に、回動自在に装着されている。この両ストッパ部材８９，９０は、ともに支軸と同心のギヤ部９４，９５を有し、それらギヤ部９４，９５を互いに噛合させて同期回動するように構成されている。前記ギヤ部９４，９５は、強度を高めるために他の部位よりも厚くして、厚くした分を、第一装着部２９に設けた円弧孔９６内に覗かせている（図１参照）。両ストッパ部材８９，９０には、挿入された大径ディスクＤ１、小径ディスクＤ２のいずれをも当接させるストッパ部９７，９８を設けている。両ストッパ部９７，９８は、下方に延出した略円柱形状をなし、前記ディスク搬送路中に位置している。
【００３４】
また、各ストッパ部材８９，９０には、大径ディスク用被押圧部９９，１００と、小径ディスク用被押圧部１０１，１０２と、弾性片１０３，１０４とをそれぞれ設けている。各弾性片１０３，１０４は、前記第一装着部２９の下面に常時圧接し、各ストッパ部材８９，９０の振動によるラットルノイズの発生を防止する。左方のストッパ部材８９には、更に、第一被係止部１０５及び凹状の第二被係止部１０６も設けられている。なお、ストッパ部材８９，９０は図示しない付勢ばねによって、ストッパ部９７，９８を互いに接近させる方向に付勢されている。
【００３５】
前記トリガ部材９１は略Ｔ字状をなし、その縦片の下端部を、支軸１０７を介して、前記ストッパ部材９０下面のほぼ中央位置に装着されている。また、Ｔ字状の横片の一端をディスク当接部１０８とし、他端には下方へ突出する押圧部１０９を設けている。
【００３６】
前記クランプ機構９は、クランパ１１０と、このクランパ１１０の軸心線を挟む左右対称位置に配置された一対のリンク機構１１１からなるクランパ引離し手段１１２と、駆動手段１１３とで構成されている。
【００３７】
クランパ１１０は、図７の如く、合成樹脂製のクランパ部材１１４と、前記ターンテーブル１３に内蔵されたマグネットのヨークとなる磁性板１１５と、この磁性板１１５の上面に貼付けられるフェルト１１６とで構成される。
【００３８】
クランパ部材１１４は、上面中央をほぼ前記磁性板１１５の厚さ分だけ低い平面部１１７とし、この平面部１１７には、周方向等間隔に配置された複数の突起１１８と、中心孔１１９とを設けている。更に、外周面は、下方に向かうにつれて小径となるテーパ面１２０としている（図２５参照）。
【００３９】
一方、磁性板１１５は略三角形状をなし、前記クランパ部材１１４の中心孔１１９に嵌合するように下方に突出させた半打ち部１２１と、突起１１８と同数の小孔１２２とを有している。そして、各小孔１２２にそれぞれクランパ部材１１４の突起１１８を挿入させて平面部１１７上に配置した後、突起１１８の頂端を潰してクランパ部材１１４に取着される。なお、クランパ部材１１４に磁性板１１５を取着する方法はこれに限るものではなく、接着材を用いても良いし、超音波溶着によっても良い。
【００４０】
前記フェルト１１６は、下面に接着シートを貼り付けておけば、そのまま前記半打ち部１２１の上面に貼り付けることができる。このフェルト１１６の厚みは、磁性板１１５及びクランパ部材１１４の上面よりも若干高くなるように設定されている。
【００４１】
前記各リンク機構１１１は、図８に示すように引離し部材１２３と、前部リンク部材１２４と、後部リンク部材１２５とで構成されている。
【００４２】
引離し部材１２３は、円弧部１２６の凸面側から一対の腕部１２７を互いに平行に延出させた形状をなし、円弧部１２６の凹面側は、図中下方に向けて小径となるテーパ面１２８としている。
【００４３】
前部リンク部材１２４は、一対の脚部１２９の一端部間を円柱部１３０で連結して両脚部１２９を互いに平行とした形状をなし、各脚部１２９の他端部は、前記引離し部材１２３の、各腕部１２７内面で、かつ円弧部１２６の近傍位置に、金属製の回動軸１３１を介して回動自在に装着されている。また、後部リンク部材１２５も、一対の脚部１３２の各一端部間を円柱部１３３で連結して両脚部１３２を互いに平行とした形状をなし、各脚部１３２の他端部は、前記引離し部材１２３の、各腕部１２７内面で、かつ端部近傍位置に、金属製の回動軸１３１を介して回動自在に装着されている。前部リンク部材１２４と後部リンク部材１２５とのリンクスパンは同一とする。なお、ここで「リンクスパン」とは、前部又は後部リンク部材１２４，１２５の上フレーム５に対する回動軸線と引離し部材に対する回動軸線との間隔をいう。このように構成されたリンク部材１１１は、略直方体のベース１３４及び長方形状の取付板となる金属薄板１３５を介して前記第一装着部２９の下面に取付けられる。
【００４４】
前記ベース１３４は、その上面両端部に互いに平行な溝１３６，１３７を有するとともに、両溝１３６，１３７間に、周方向に四分割された固定軸１３８を突設している。
【００４５】
前記金属薄板１３５は、左右縁部をいったん上方へ折曲げ、途中から水平外方に向けて折曲げて押え部１３９，１４０とし、中間部には大孔１４１を設けた形状をなす。
【００４６】
図９の如く、前記前部リンク部材１２４及び後部リンク部材１２５の各円柱部１３０，１３３をベース１３４の溝１３６，１３７にそれぞれ回転自在に嵌合した後、ベース１３４の上面に金属薄板１３５を重ね、各円柱部１３０，１３３上に金属薄板１３５の押え部１３９，１４０をのせる。そうした後に、ベース１３４の固定軸１３８を、金属薄板１３５の大孔１４１を通して前記第一装着部２９に設けた取付け孔に嵌合させて、リンク機構１１１は、第一装着部２９の下面に取付けられている。
【００４７】
駆動手段１１３は、図６の如く、前記クランパ引離し手段１１２と前記ディスク位置決め機構８との間に配置されているもので、左右一対の移動部材１４２，１４３と、互いに常時噛合する左右一対の同期ギヤ１４４，１４５とで構成されている。両移動部材１４２，１４３は細長い形状をなし、その長手方向をディスクの挿脱方向に対して直交する方向に向けて、左右対称にほぼ一直線上に配置され、第一装着部２９の下面に、長手方向移動自在に装着されている。また、同期ギヤ１４４，１４５は、両移動部材１４２，１４３間において第一装着部２９の下面に装着されている。
【００４８】
各移動部材１４２，１４３は、互いに近接する一端近傍に押圧片１４６，１４７とラック１４８，１４９とを有し、各ラック１４８，１４９をそれぞれ対応する同期ギヤ１４４，１４５に噛合させて互いに逆方向に同期移動するようにしている。そして両移動部材１４２，１４３が離反方向へ移動するとき、押圧片１４６，１４７で、前記ストッパ部材８９，９０の大径ディスク用被押圧部９９，１００又は小径ディスク用被押圧部１０１，１０２を押圧して左方のストッパ部材８９を時計方向、右方のストッパ９０を反時計方向へ、同期回動させるようにしている。
【００４９】
また、各移動部材１４２，１４３の他端近傍には、離反方向への移動時に前記各後部リンク部材１２５の脚部１３２を押して引離し部材１２３を下降させる第一押部１５０，１５１と、接近方向への移動時に脚部１３２を押して引離し部材１２３を上昇させる第二押部１５２，１５３とを有している。左方の移動部材１４２には、更に、離反方向への移動時に前記ロック部材７６の被押圧壁８７を押圧してロック部材７６を図６中時計方向へ回動させる押圧部１５４が設けられている。また、右方の移動部材１４３の他端部下面には、係合突起１５５が形成されている。
【００５０】
前記ローディング機構１０は、図１０の如く、起動手段１５６と、動力伝達機構１５７と、搬送手段１５８と、検知手段１５９と、前記ローディングモータ４１とで構成されている。
【００５１】
前記起動手段１５６は、前記第一装着部２９下面の右奥部に配置されたスライド部材１６０と、第一装着部２９下面の右中央部に配置された誘導ラック板１６１とで構成されており、これらはいずれもディスク挿脱方向に移動自在となっている。
【００５２】
スライド部材１６０は、合成樹脂製の薄板で、下面側に被押圧部１６２が形成され、この被押圧部１６２を前記トリガ部材９１の押圧部１０９に押圧されてディスク脱着方向にスライドする。また、図中右縁には下方に突出する突出部１６３を有する。
【００５３】
誘導ラック板１６１は、クランク形状をなす合成樹脂製の薄板で、図中下端部の下縁にラック１６４を、また、中央付近には鉤部１６５を有している（図１２参照）。そして、前記スライド部材１６０がディスク脱着方向へスライドするとき、このスライド部材１６０の突出部１６３に図中上端を押されて同方向に移動して、ラック１６４を前記動力伝達機構１５７に噛合させる。
【００５４】
前記動力伝達機構１５７はギヤ群を主体とするもので、下フレーム１１の右側板２４内面に取付けられる下ギヤ群４４と、上フレーム５の右側板１９の内面側に取付けられる上ギヤ群１６６と、ギヤプレート１６７（図１１参照）とで構成される。また、下ギヤ群４４は、下フレーム１１の右側板２４の後半部、すなわち下半側板に直接取付けられ、上ギヤ群１６６は、上フレーム５の右側板１９の前半部、すなわち上半側板に直接又は前記ギヤプレート１６７を介して取付けられる。下半側板と上半側板が図１に示すように組合されて、下ギヤ群４４と上ギヤ群１６６とは噛合連結される。前記搬送手段１５８は、この動力伝達機構１５７を介して前記ローディングモータ４１に駆動される。
【００５５】
下ギヤ群４４は、いずれも下フレーム１１の右側板２４内面に軸支された、第一ギヤ１６８，第二ギヤ１６９及び第三ギヤ１７０で構成されている。これらはいずれも二段ギヤよりなるもので、第一ギヤ１６８は、一段目の大ギヤをヘリカルギヤとして前記ウォームギヤ４３に噛合させている。第二ギヤ１６９の一段目である大ギヤは第一ギヤ１６８の二段目である小ギヤに噛合させ、第三ギヤ１７０の一段目である大ギヤは第二ギヤ１６９の二段目である小ギヤに噛合させて、ローディングモータ４１の回転を段階的に減速するようにしている。
【００５６】
上ギヤ群１６６は、図１１の如く、いずれも二段ギヤよりなる第四ギヤ１７１，第五ギヤ１７２，第六ギヤ１７３及び第七ギヤ１７４で構成されている。第四ギヤ１７１及び第五ギヤ１７２は、前記右側板１９の内面に直接軸支されているが、第七ギヤ１７４は、前記ギヤプレート１６７と共に、共通の支軸１７５を介して右側板１９内面に軸支され、第六ギヤ１７３は前記ギヤプレート１６７に軸支されて、その二段目となる大ギヤを第七ギヤ１７４の一段目となる小ギヤに常時噛合させている。第四ギヤ１７１の一段目である大ギヤは前記第三ギヤ１７０の二段目である小ギヤに、第五ギヤ１７２の一段目である大ギヤは第四ギヤ１７１の二段目である小ギヤにそれぞれ噛合させ、第三ギヤ１７０の回転を更に段階的に減速させて第五ギヤ１７２に伝達するようにしている。第六ギヤ１７３の一段目である小ギヤは、ギヤプレート１６７の回動に伴い、第五ギヤ１７４の一段目である大ギヤに対して接離自在となっており、第五ギヤ１７２の回転を、今度は第六ギヤ１７３で増速して、第七ギヤ１７４に伝達するようにしている。また、前記ローディングモータ４１に装着されたウォームギヤ４３、第一ギヤ１６８、第二ギヤ１６９、第三ギヤ１７０、第四ギヤ１７１及び第五ギヤ１７２で作動手段を構成している。
【００５７】
ギヤプレート１６７は金属板製で、図１１における右端を内側に屈曲させて被摺接部１７６とし、図中中央付近には係合ピン１７７を立設している。このギヤプレート１６７、係合ピン１７７及びギヤプレート１６７に軸支される第六ギヤ１７３で、前記作動手段とローラ１７８との間の動力伝達経路を適宜遮断するクラッチ手段を構成している。
【００５８】
搬送手段１５８は、図１２の如く、ローラ１７８と、ローラ支持体１７９と、ローラの位置を制御するスライダ１８０と、カム板１８１と、前記ディスクガイド３２とで構成されている。
【００５９】
ローラ１７８は、外方端から内方端にかけて漸次小径となる合成ゴム製の一対のテーパ筒体１８２，１８３に金属製の軸１８４を挿通させて構成されている。軸１８４の両端はテーパ筒体１８２，１８３の外方端から突出し、その突出する軸１８４の一端側には小カラー１８５を取付け、他端側には大カラー１８６及びローラギヤ１８７を取付けている。ローラギヤ１８７の歯幅は２ｍｍ程度であるが、歯部の外側面には円筒状のカラー１８８を有している。
【００６０】
ローラ支持体１７９は金属板よりなるもので、左右に長い平板部１８９の左右端に、上方へ向けて折曲形成された左右側板１９０を有し、これらの左右側板１９０を平板部１８９より奥側へ延出させている。左右側板１９０は、略中間部に軸支孔１９１を有し、各軸支孔１９１を上フレーム５の左右側板１８，１９内面に突設された図示しない軸に嵌合させて、両側板１８，１９間に、上下回動自在に装着される。また、左右側板１９０の延出部で前記小カラー１８５及び大カラー１８６をそれぞれ支持し、ローラ１７８を回転自在に支持するようにしている。前記平板部１８９の後縁は裏面側に向けて折曲された山折り縁１９２となっている。この山折り縁１９２は、平面図上ではほぼ左右対称となるＶ形凹状ともなっているが、その傾斜角度は、ローラの軸心線に対して約１°程度の僅かなものである。また、平板部１８９の前縁には上方に向けて屈曲した左右一対の屈曲部１９３が設けられている。これらの屈曲部１９３は、ローラ１７８が下方位置にあるとき、すなわち、ディスクが再生位置に挿入されているときは上方位置にあってディスク挿入口２を塞いで、ディスクの二重挿入を防止する。なお、ローラ支持体１７９は図示しないばねにより、ローラ１７８を上昇させる方向に常時付勢されている。
【００６１】
図１２の如く、前記スライダ１８０は、細長い形状をなし、その長手方向をディスク挿脱方向に向けて前記第一装着部２９の下面に、ディスク挿脱方向に移動自在に装着されている。このスライダ１８０は、図中前端に摺接部１９４を有し、その後方には突部を設け、その前縁を下方へ行くにつれて後方へ傾斜するローラ離反部としての傾斜面１９５と、その更に後方の右側面には動力遮断部としてのカム溝１９６を有している。カム溝１９６には、前記ギヤプレート１６７の係合ピン１７７が挿入される。カム溝１９６の更に後方下縁にはラック部１９７を有し、図中後端左側部には、下方に突出する嵌合部１９８を有している。ラック部１９７は、前記第五ギヤの二段目となる小ギヤに選択的に噛合する。なお、本実施の形態では、スライダ１８０にカム溝１９６を設け、ギヤプレート１６７に係合ピン１７７を設けているが、これに限るものではなく、スライダにピン、プレートにカム溝を設けても良い。
【００６２】
前記カム板１８１は、第一装着部２９の下面に取着され、図中前半部にカム溝１９９を有している。カム溝１９９は、ディスク挿脱方向に長く形成され、中間部分を、後方へ行くにつれて右方へ傾斜する傾斜部とし、このカム溝１９９には、前記移動部材１４３の係合突起１５５が挿入される。カム溝１９９前部の右側壁は図中前方へ延びる弾性片２００にて形成され、弾性片２００の先端にはストッパ部２０１が設けられている。また、図中最奥部には、角柱状の第二スイッチ押圧部２０２を下方に向けて突出させている。更に、カム板１８１の図中前端右側部には前記スライダ１８０の嵌合部１９８を挿入させる図示しない孔を有し、カム板１８１がスライダ１８０と一体に移動するようにしている。そして、前記誘導ラック板１６１との間には、図示しないばねが掛け渡されており、誘導ラック板１６１が移動するとばねの付勢力によって、カム板１８１は追従することになる。なお、このカム板１８１は、図示しない反転ばねにより、移動前後の終端位置に安定保持される。
【００６３】
前記ディスクガイド３２は、前記上フレーム５の第二装着部２８と、４つのガイド突条２０３（１つだけ図示）とで構成されている。
【００６４】
各ガイド突条２０３は、長手方向をディスクの挿脱方向に対して直交させて、第二装着部２８の下面に、ローラ１７８の手前側と奥側に位置させて左右一対ずつ取付けられる。
【００６５】
第二装着部２８には、中央の矩形状の領域の手前側半分を下方へ膨出させた膨出部２０４を設け、その左右に、各ガイド突条２０３を取付けるための、夫々複数の位置決め孔２０５を設けている。位置決め孔２０５は、小円孔２０６と大円孔２０７とをつないだ形状をなし、大円孔２０７側を前記膨出部２０４に向けている。
【００６６】
前記各ガイド突条２０３には、大径の頭部を有する、前記各位置決め孔２０５と同数の係合突起２０８が設けられている。各ガイド突条２０３のディスクと接触する面（下面）は、第二装着部２８の下面に取付けた状態で、装着部２８の左右端から中心部に向かうにつれて上り傾斜となるように（ローラ１７８の軸心線から遠ざかるように）傾斜させている。なお、各ガイド突条２０３は合成樹脂にて、全て同一の形状及び寸法に形成されている。
【００６７】
各ガイド突条２０３の取付けは、まず、複数の係合突起２０８を各位置決め孔２０５の大円孔２０７側から挿通させる。そして、ガイド突条２０３を第二装着部２８の下面に押し当てた状態で外方へスライドさせて係合突起２０８を小円孔２０６側に移動させると、係合突起２０８の大径頭部が小円孔２０６側に移動して、係合突起２０８の、位置決め孔２０５からの抜け出しが禁止され、ガイド突条２０３が第二装着部２８の下面に取付けられる。
【００６８】
前記検知手段１５９は、図１３の如く、位置検知部材２０９と、アクチュエータ２１０とで構成され、図１０における右方手前側に配置されている。
【００６９】
位置検知部材２０９は、図１３の如く、その長手方向をディスク挿脱方向に向けて第一装着部２９の下面側に配置されるもので、角柱状のボディー部２１１の図中左側部に上方に突出する壁を有し、その壁の頂面には、左方へ突出する、長孔２１２を有する連結片２１３を設けている。ボディー部２１１には、前記回路基板１６に配置された第一スイッチ３５を押す第一スイッチ押圧部２１４と、第三スイッチ３７を押す第三スイッチ押圧部２１５と、第四スイッチ３８を押す第四スイッチ押圧部２１６とを設けている。位置検知部材２０９は、前記スライダ１８０の下面に、ディスク挿脱方向移動自在に装着され、前記長孔２１２に前記ディスク検知部材４６の連結ピン５７を挿入させ、ディスク検知部材４６の回動に連動して、ディスク挿脱方向に移動する。
【００７０】
アクチュエータ２１０は、図中手前側に、支軸孔２１７を有し、この孔２１７に、前記ローラ支持体１７９の支持軸（仮想線で示す）を挿入させて前記上フレーム５の右側板１９に回動自在に軸支されている。図中奥側には、前記第五スイッチ３９（図４参照）を押圧する第五スイッチ押圧部２１８が形成されている。更にスイッチ押圧部２１８の図中手前側には、たて長の環状部２１９が設けられている。この環状部２１９内には前記ローラ１７８のカラー１８８が挿入されている。アクチュエータ２１０が、支持軸をローラ支持体１７９と共用するためには支軸孔２１７をローラ１７８より手前側に位置させる必要があり、また、ローラ１７８より奥に位置する第五スイッチ３９を押すためにローラ１７８よりも奥側に第五スイッチ押圧部２１８を位置させる必要があるので、アクチュエータ２１０がローラ軸１８４軸端と干渉しないようにするために、ローラ軸１８４に設けたカラー１８８を覗かせる環状部２１９を設けているのである。更に、ローラ支持体１７９とアクチュエータ２１０との間には、図示しないトーションばねが掛け渡されており、ディスクが挿入されローラ支持体１７９が回動するとアクチュエータ２１０も追随して回動し、第五スイッチ３９を第五スイッチ押圧部２１８で押すことができる。
【００７１】
図４の如く、ピックアップユニット１５は、マグネットを内蔵するターンテーブル１３、ディスクを再生又は記録するピックアップ１４、そのピックアップ１４を駆動するフィードモータ手段２２０、ピックアップ１４を支持するピックアップ支持手段２２１、及びこれらを搭載するピックアップシャーシ２２２で構成される。
【００７２】
ピックアップシャーシ２２２は、金属板製で、中央に大開口部２２３を有し、この大開口部２２３の内側に前記ターンテーブル１３、ピックアップ１４、及びフィードモータ手段２２０がほぼ配置される。シャーシ２２２の周り３箇所には、段曲げ加工によって形成され一部が開口したダンパ取付部２２４が設けられている。
【００７３】
ターンテーブル１３は、ピックアップシャーシ２２２の図中右下部に取付けられ、このターンテーブル１３の中心が、ディスク再生装置の機構部１のほぼ中心となる。ピックアップ１４は、ターンテーブル１３近傍と、シャーシ２２２の図中左斜め上方部との間を往復動可能なように、前記大開口部２２３内に配置される。このピックアップ１４はピックアップ支持手段２２１を介して、ピックアップシャーシ２２２に取付けられている。
【００７４】
フィードモータ手段２２０は、螺旋溝を有する送りねじ２２６を備えたフィードモータ２２７と、それらを支持するモータ支持板２２８とで構成されている。モータ支持板２２８は、一端側でフィードモータ２２７を固定するとともに、他端側で送りねじ２２６の先端を回転自在に支持し、送りねじ２２６を前記ピックアップ１４の移動方向に合わせて、ピックアップシャーシ２２２の裏側に取付けられている。
【００７５】
ピックアップ支持手段２２１は、互いに平行となるように配置された主ガイド２２９及び副ガイド２３０と、主ガイドトラッキング調整手段２３１及び副ガイドトラッキング調整手段２３２と、ピックアップ送り板２３３とで構成されている。主ガイド２２９の一端側の位置は、ピックアップシャーシ２２２の下面側において固定されているので、主ガイドトラッキング調整手段２３１は、専ら主ガイド２２９の他端側でのみトラッキング調整を行なうこととなる。
【００７６】
主ガイドトラッキング調整手段２３１は、図１４の如く、主ガイド２２９をトラッキング方向に一定の弾性力で付勢するコイルばね２３４と、このばね２３４の弾性力を主ガイド２２９の反対側で受けて主ガイド２２９のトラッキング方向の動きを規制する板ばね製の調整板２３５と、この調整板２３５の一部に設けた通し孔２３６（図１５参照）を通してピックアップシャーシ２２２の裏面に螺合する主ガイド調整ねじ２３７とで構成される。
【００７７】
調整板２３５は、階段状の３段の平面を有し、図中上方より上段部２３８，中段部２３９，下段部２４０としている。前記上段部２３８をピックアップシャーシ２２２の下面側に固定し、下段部２４０を主ガイド２２９に下方より当接させて、主ガイド２２９を支持している。図１５の如く、中段部２３９は、上段部２３８と連なる部位に可撓性をもたせるための略コの字形の孔２４１を有し、更に下段部２４０近傍の部位に前記通し孔２３６を有している。
主ガイド２２９のトラッキング方向の調整は、主ガイド調整ねじ２３７の締め加減によって、主ガイド２２９を図１４における上下方向に移動させて行なう。
【００７８】
副ガイドトラッキング調整手段２３２は、図１６の如く、副ガイド２３０の両端を支持する左右一対の副ガイド支持板２４２と、副ガイド２３０の両端に配置される左右一対の圧縮ばね２４３と、副ガイド支持板２４２に設けた孔を貫通し、ピックアップシャーシ２２２の裏面側に螺合する左右一対の副ガイド調整ねじ２４４とで構成されている。
【００７９】
両副ガイド支持板２４２は、その一端をそれぞれ図中上方へ折り曲げ、その折り曲げ部に設けた孔に副ガイド２３０の端部を嵌挿させて支持している。そして、前記圧縮ばね２４３は前記ピックアップシャーシ２２２と副ガイド支持板２４２との間において、前記調整ねじ２４４を挿通させている。
副ガイド２３０のトラッキング方向の調整は、それぞれの副ガイド調整ねじ２４４の締め加減によって、副ガイド２３０を上下方向に移動させることにより行なう。
【００８０】
また、図４の如くピックアップ送り板２３３は、一端をピックアップ１４に固定し、他端に切り曲げして形成したねじ山２４６を設けて、このねじ山２４６を前記送りねじ２２６の螺旋溝に係合させている。これにより、フィードモータ２２７の動力は、送りねじ２２６からピックアップ送り板２３３に伝達され、ピックアップ１４がフィードモータ２２７の動力で駆動されることになる。
【００８１】
図１７の如く、回動部品取付機構２４７は、支持部材２４８と固定部材２４９とで構成されている。支持部材２４８及び固定部材２４９は、いずれも合成樹脂で形成されている。
【００８２】
図１８の如く、支持部材２４８は、環状板部２５０と支持円筒部２５１と固定筒部２５２とからなる。前記支持円筒部２５１は、環状板部２５０の一方の面側に、環状板部２５０の円形中心孔２５３と同軸に突出し、前記固定筒部２５２は、環状板部２５０の一方の面側に前記円形中心孔２５３に連続して前記支持円筒部２５１より長く突出している。前記固定筒部２５２は先端部の内周に、先端に向かって小径となるテーパ面２５４を有し、かつ周方向に四等分割されている。テーパ面２５４は、前記支持円筒部２５１の先端より更に先の内周に形成されている。
【００８３】
図１９の如く、前記固定部材２４９は、押し部２５５と、この押し部２５５の基端に設けられた端板部２５６とからなる。前記押し部２５５は円柱形状をなし、先端周縁をテーパ状の摺接縁２５７としているもので、前記環状板部２５０の円形中心孔２５３を挿通して前記固定筒部２５２内に挿入される。
【００８４】
図５中の支軸５０，５１，６２，６３及び図６中の支軸１０７は、図３の如く、回動部品取付機構２４７によって前記両ディスク検知部材４５，４６、両部分ギヤ４７，４８、両ストッパ部材８９，９０を第一装着部２９に取付けてもよい。同様にトリガ部材９１を第二装着部２８に取付けてもよい。
【００８５】
図１７は、回動部品取付機構２４７による回動部品の取付け方について、例として、ストッパ部材８９を上フレーム５の第一装着部２９に取付けるところを用いて説明するものである。図１７で示すように、まず、支持部材２４８の支持円筒部２５１を、ストッパ部材８９に設けられた孔に嵌合させる。次に、固定筒部２５２の、支持円筒部２５１より長い部分を、第一装着部２９に設けた円形固定孔２５８に嵌合する。そして、固定部材２４９の押し部２５５を固定筒部２５２内に嵌合させて該押し部２５５の摺接縁２５７を固定筒部２５２のテーパ面２５４に当接させ、そのまま、端板部２５６が環状板部２５０に当接するまで固定部材２４９を押し込むと、摺接縁２５７でテーパ面２５４を押圧し、固定筒部２５２の先端部を外方へ反らせることになる。これによって、固定筒部２５２の先端部が第一装着部２９の円形固定孔２５８よりも外方へ拡張されて、支持部材２４８が第一装着部２９に強固に固定され、ストッパ部材８９が第一装着部２９に対して回動自在に取り付けられる。
【００８６】
次にディスク再生機の機構部１の動作について説明する。
まずは、ディスク挿入口２より挿入されたディスクが再生位置に装填されるまでの動作を説明する。
図２０は、ディスク挿入口２より大径ディスクＤ１又は小径ディスクＤ２を、ディスク検知部材４５，４６の検知部５２，５３間に挿入し、ディスクの外周面が両検知部５２，５３に接触した状態を示している。この状態から、図２１の如く、ディスクで検知部５２，５３間を押し広げながら挿入すると、ディスク検知部材４５，４６が回動する。左方のディスク検知部材４５は往復動部材７４と、右方のディスク検知部材４６は位置検知部材２０９と、それぞれ連結しているので、両ディスク検知部材４５，４６が互いの両検知部５２，５３を離反させる方向に回動すると、往復動部材７４及び位置検知部材２０９はディスク挿入方向に移動する。
【００８７】
前記位置検知部材２０９が、ディスク挿入方向に移動すると、まず、この部材２０９の第四スイッチ押圧部２１６が第四スイッチ３８を押圧してオンとする。更に位置検知部材２０９がディスク挿入方向に移動すると、この部材２０９の第一スイッチ押圧部２１４が第一スイッチ３５を押圧してオンとし、ディスクが挿入されたことを検知してモータ４１が起動する。
【００８８】
モータ４１の回転は前記動力伝達機構１５７を介してローラ１７８に伝達され、ローラ１７８が図１２における時計方向への回転を開始する。そして、ディスクがディスクガイド３２のガイド突条２０３（図１２参照）とローラ１７８との間に差し込まれると、ディスクによってローラ１７８が押し下げられ、ローラ支持体１７９が軸支孔１９１を中心に図１２における時計方向に僅かに回動する。ローラ１７８が押し下げられると共に、前記アクチュエータ２１０との間に掛け渡された図示しないばねの付勢力でアクチュエータ２１０も図１３における時計方向に回動し、その第五スイッチ押圧部２１８で第五スイッチ３９を押す。これによって第五スイッチ３９はオンになり、ディスクが挿入されたことを検知する。ディスクは、ローラ１７８と前記ディスクガイド３２によって挟持され、ローラ１７８の回転により搬送される。
【００８９】
図２２は、大径ディスクＤ１又は小径ディスクＤ２がローラ１７８によって搬送され、前記検知部５２，５３間にディスクの中心が達したときの状態を示している。まず、小径ディスクＤ２を挿入した場合、小径ディスクＤ２の中心が両検知部５２，５３間に達しても、両ディスク検知部材４５，４６の回動量は少なく、往復動部材７４の移動量も少ないため、ピン７９が前記回動部材７５のカム面８５にまでは達しない。また、位置検知部材２０９の移動量も少ないため、第三スイッチ押圧部２１５が第三スイッチ３７の位置まで移動せず、第三スイッチ３７はオフの状態を維持する。一方、大径ディスクＤ１を挿入した場合、大径ディスクＤ１の中心が両検知部５２，５３間に達するまでに、両ディスク検知部材４５，４６は大きく回動する。よって、往復動部材７４は大きく移動し、ピン７９が前記回動部材７５のカム面８５に摺接してこの部材７５を図中時計方向へ回動させる。また、位置検知部材２０９の移動量も多く、その第三スイッチ押圧部２１５で第三スイッチ３７をオンとする。
【００９０】
ディスクの搬送が図２２の状態から更に進むと、小径ディスクＤ２を挿入した場合、両ディスク検知部材４５，４６は、前記コイルばね４９の付勢力によりその検知部材４５，４６を小径ディスクＤ２の外周面に摺接させながらディスク挿入前の初期位置に復帰する。小径ディスクＤ２の外周面は、前記トリガ部材９１のディスク当接部１０８に当接し、トリガ部材９１を時計方向に回動させる。この回動により、トリガ部材９１の押圧部１０９がスライド部材１６０の被押圧部１６２を押圧し、スライド部材１６０をディスク脱着方向へ移動させる。また、図２３に示す如く、小径ディスクＤ２はディスク当接部１０８を少し押込んだところで、外周面を両ストッパ部材８９，９０の各ストッパ部９７，９８に当接させる。この時、左方のストッパ部材８９は、その第一被係止部１０５を回動部材７５の第二係止部８４に係止されているため、左方のストッパ部材８９は時計方向、右方のストッパ部材９０は反時計方向の回動を禁止され、小径ディスクＤ２は所定の装填位置より僅かに奥に搬送されたところで両ストッパ部９７，９８に当接し、停止する。
【００９１】
一方、大径ディスクＤ１を挿入した場合、図２２の状態から更に搬送が進んでその外周面が各ストッパ部９７，９８に当接するまでの間に、回動部材７５はそのカム面８５を往復動部材７４のピン７９に押されて図中時計方向へ回動しているので、ストッパ部材８９の第一被係止部１０５は、第二係止部８４に係止されず、両ストッパ部材８９，９０のストッパ部９７、９８は、大径ディスクＤ１の外周面に押されて互いに離反する方向に回動する。そして、更に大径ディスクＤ１は、その外周面で両ストッパ部９７、９８を押込みながら、前記トリガ部材９１のディスク当接部１０８をも押込んで、トリガ部材９１をストッパ部材９０に対して時計方向に回動させる。これによって、トリガ部材９１の押圧部１０９がスライド部材１６０の被押圧部１６２を押圧し、スライド部材１６０をディスク脱着方向へ移動する。
【００９２】
更に大径ディスクＤ１の搬送が進むと、図２３に示す如く、左方のストッパ部材８９の第二被係止部１０６が回動部材７５の第一係止部８３に係止される。よって、両ストッパ部材８９，９０はそれ以上の回動を禁止され、大径ディスクＤ１は所定の装填位置まで搬送されたところで両ストッパ部９７，９８に当接し、停止する。この過程で、両ディスク検知部材４５，４６は、前記コイルばね４９の付勢力により、その検知部材４５，４６を大径ディスクＤ１の外周面に摺接させながら往復動部材７４を伴って僅かに復帰するが、往復動部材７４のピン７９が回動部材７５の第三係止部８６に係止されるため、両ディスク検知部材４５，４６は、往復動部材７４と共に、その後の復帰を禁止される。
【００９３】
そして、大径ディスクＤ１、小径ディスクＤ２のいずれが挿入された場合においても、スライド部材１６０がトリガ部材９１に押圧されてディスク脱着方向に移動すると、スライド部材１６０と共に前記誘導ラック板１６１がディスク脱着方向に移動し、図１１及び図１２に示すように、誘導ラック板１６１のラック１６４が第五ギヤ１７２の小ギヤに噛合する。このとき、第五ギヤ１７２は、モータ４１の駆動力を受けて既に回転しているので、誘導ラック板１６１はモータ４１の駆動力によりディスク脱着方向に移動する。すると、誘導ラック板１６１とカム板１８１との間に掛け渡された図示しないばねの付勢力によってカム板１８１が追従して、このカム板１８１と一体に移動する前記スライダ１８０が移動し、ラック部１９７が第五ギヤ１７２の小ギヤに噛合する。これによってスライダ１８０はモータ４１の動力によりディスク脱着方向に移動する。
【００９４】
スライダ１８０のカム溝１９６には、前記ギヤプレート１６７の係合ピン１７７が挿入されているので、係合ピン１７７は、スライダ１８０の移動によりカム溝１９６に対して移動することになる。すると、ギヤプレート１６７が図１１に仮想線で示す如く、支軸１７５を中心に反時計方向に回動し、このギヤプレート１６７に軸支されている第六ギヤ１７３は、第五ギヤ１７２から離反する。これにより、モータ４１からローラ１７８へ至る動力伝達経路が遮断され、ローラ１７８の回転が停止する。すなわち、ディスクが両ストッパ部９７，９８に当接すると、直ちにローラ１７８の回転が停止するので、ローラ１７８がディスクに接触した状態で空回りすることはなく、ローラ１７８の回転によりディスクのデータ記録面を傷つける恐れはない。
【００９５】
一方、第五ギヤ１７２には依然、モータ４１の駆動力は伝達されているため、この第五ギヤ１７２に噛合しているスライダ１８０は更にディスク脱着方向に移動して、前記クラッチ手段を遮断側に切替える。すなわち、スライダ１８０の傾斜面１９５をローラ１７８の大カラー１８６に当接させて、ローラ１７８をディスクから離反させる（図１２参照）。このときローラ支持体１７９は前記アクチュエータ２１０との間に掛け渡された図示しないばねの付勢力に抗し軸支孔１９１を中心に図中時計方向に回動する。
【００９６】
スライダ１８０がディスク脱着方向に移動するとき、カム板１８１も一体に移動することになるが、図６に示すように、カム板１８１が移動する前は、右方の移動部材１４３の係合突起１５５がカム板１８１のカム溝１９９内における図中最前部に位置している。この状態から、カム板１８１がディスク脱着方向へ移動すると、図２４に示すように係合突起１５５がカム溝１９９に沿ってその最奥部まで移動し、これによって、右方の移動部材１４３は図中右方へ、左方の移動部材１４２はこれと同期して左方へ移動する。このように、左右の移動部材１４２，１４３が互いに離反するとき、各第一押部１５０，１５１で左右のリンク機構１１１の脚部１３２を押圧し、引離し部材１２３を下降させる。
【００９７】
図２５は左右の引離し部材１２３のテーパ面１２８でクランパ部材１１４の周縁部を挟持して、クランパ部材１１４をターンテーブル１３から引離した状態を示している（カム板１８１が移動する前の状態）。この状態から、左右の移動部材１４２，１４３が互いに離反する方向に移動すると、図２６に示すように、移動部材１４２，１４３の第一押部１５０，１５１が後部リンク部材１２５の脚部１３２を押圧し、後部リンク部材１２５は円柱部１３３を中心に前部リンク部材１２４を伴って回動し、左右のテーパ面１２８が円弧軌跡を描きながら下方左右へ移動する。よって、テーパ面１２８はクランパ部材１１４を下降させながら左右へ離れていく。クランパ部材１１４が、その下方で待機しているターンテーブル１３に充分接近したとき、テーパ面１２８はクランパ部材１１４から離れ、ターンテーブル１３と協働してディスクを挟持する位置へ移動し、クランパ１１０とターンテーブル１３との間で、磁力によってディスクを挟持する。このとき、小径ディスクＤ２の装填時には、クランパ部材１１４のテーパ面でディスクを所定の装填位置に戻し、ストッパ部９７，９８から離反させる。
【００９８】
一方、両移動部材１４２，１４３は、図２４に示すように、左右に移動する最終段階で、その押圧片１４６，１４７によりストッパ部材８９，９０の大径ディスク用被押圧部９９，１００の壁面を押圧し、クランパ１１０とターンテーブル１３とでディスクを挟持した後、両ストッパ部材８９，９０のストッパ部９７，９８を互いに離反する方向に若干回動させてディスクからストッパ部９７，９８を離反させる。図２４は大径ディスクＤ１を挿入したときの状態を記載しているが、小径ディスクＤ２が挿入されたときは、押圧片１４６，１４７によりストッパ部材８９，９０の小径ディスク被押圧部１０１，１０２の壁面を押圧して、ストッパ部９７，９８をディスクの外周面から離反させる。
【００９９】
そして、カム板１８１がディスク脱着方向に移動する最終段階で、このカム板１８１の第二スイッチ押圧部２０２が第二スイッチ３６をオンしてディスク挿入完了を検知すると、ローディングモータ４１は停止する。これにより、ディスクは再生位置に配置され、ディスクの装填が完了する。
【０１００】
大径ディスクＤ１，小径ディスクＤ２の挿入と、第一スイッチ３５乃至第五スイッチ３９のオン・オフとの関係は、表１の通りであり、この各スイッチのオン・オフによって、挿入されたディスクが大径ディスクＤ１であるか小径ディスクＤ２であるかを判断している。
【表１】
2008226338.tif 000003
ちなみにディスクが挿入されていないときは、第一スイッチ３５乃至第五スイッチ３９は全てオフとなっている。
【０１０１】
次に、再生位置にあるディスクを、ディスク挿入口２から取り出せる位置まで排出する動作を説明する。
図２４は大径ディスクＤ１が再生位置に配置された状態を示しており、この状態のときに図示しない排出ボタンを押すと、ローディングモータ４１が起動する。この起動により、動力伝達機構１５７を介しスライダ１８０（図１２参照）がディスク挿入方向に移動し始める。これによって、カム板１８１がスライダ１８０と共に移動し、第二スイッチ押圧部２０２が第二スイッチ３６から外れ、第二スイッチ３６をオフとする。
【０１０２】
スライダ１８０が更にディスク挿入方向に移動すると、移動部材１４３の係合突起１５５がカム板１８１のカム溝１９９の最奥部から、手前の傾斜面に達する。これにより右方の移動部材１４３は左方へ、左方の移動部材１４２は右方へ復帰して、図２４の状態から図２３の状態となる。
【０１０３】
このとき、各移動部材１４２，１４３の第一押部１５０，１５１はリンク機構１１１の脚部１３２から離反するが、代わって第二押部１５２が脚部１３２を外側から内方へ向けて押圧し、図２５に示すように後部リンク部材１２５は円柱部１３３を中心に前部リンク部材１２４を伴って回動し左右のテーパ面１２８が円弧軌跡を描きながら上方左右へ移動する。このとき、左右のテーパ面１２８がクランパ部材１１４の周縁部を掬い上げ、クランパ１１０をターンテーブル１３から引離す。
一方、各移動部材１４２，１４３の押圧片１４６，１４７に押圧されていたストッパ部材８９，９０は解放され、図示しない付勢ばねによって、両ストッパ部９７，９８を互いに接近させる方向に回動復帰する。そして、このストッパ部９７，９８が大径ディスクＤ１の外形を押し、大径ディスクＤ１はディスク脱着方向に押し戻される。このとき、トリガ部材９１もストッパ部材９０と共に反時計方向に回動して、大径ディスクＤ１をディスク挿入口２から取り出せる位置まで押し戻す。
【０１０４】
更にスライダ１８０がディスク挿入方向に移動すると、スライダ１８０の傾斜面１９５に押圧されていた大カラー１８６は、傾斜面１９５による押圧を解かれて上昇し、ローラ１７８をディスクに当接させる（図１２参照）。このとき、ローラ支持体１７９は図中反時計方向に回動する。
【０１０５】
そして、スライダ１８０がディスク挿入方向への移動の最終段階で、図１１に示す如く、カム溝１９６に係合しているギヤプレート１６７の係合ピン１７７がカム面に到達し、ギヤプレート１６７が支軸１７５を中心に時計方向に回動する。これにより、ギヤプレート１６７に軸支されている第六ギヤ１７３は、第五ギヤ１７２に噛合し、ローディングモータ４１の駆動力がローラ１７８へも伝達され、ローラ１７８のディスク脱着方向への回転が開始される。そして、大径ディスクＤ１はローラ１７８の回転により排出される。
【０１０６】
大径ディスクＤ１がローラ１７８によって更に排出されると、両ストッパ部材８９，９０が図２２に示すディスク挿入前の初期位置に戻り、更に排出されると大径ディスクＤ１の外周面に両検知部５２，５３が追従し、両ディスク検知部材４５，４６が回動する。このとき、大径ディスクＤ１の中心が、両検知部５２，５３間を越えると、両ディスク検知部材４５，４６は、検知部５２，５３が互いに近づく方向に回動する。
【０１０７】
そして、この両ディスク検知部材４５，４６の回動により、往復動部材７４がディスク脱着方向に移動し、往復動部材７４のピン７９に沿って回動部材７５はばね７７の付勢力により反時計方向へ回動する。このとき、すでにストッパ部材８９は初期位置に戻っているので、回動部材７５はストッパ部材８９に規制されることなく回動することができる。
【０１０８】
ディスク検知部材４６に連結した位置検知部材２０９の第三スイッチ押圧部２１５が図２１に示すように第三スイッチ３７から外れると、第三スイッチ３７がオフとなり、大径ディスクＤ１の排出が完了したことを検知して、モータ４１は停止する。小径ディスクＤ２の排出の場合は、この部材２０９の第四スイッチ押圧部２１６が、第四スイッチ３８から外れると、ディスクの排出が完了したことを検知して、モータ４１は停止する。
【０１０９】
なお、本実施の形態では、クランパ部材１１４にはテーパ面１２０を、引離し部材１２３にはテーパ面１２８を、それぞれ設けているが、これに限るものではなく、クランパ部材１１４又は引離し部材１２３の少なくとも一方にテーパ面（傾斜面）を設けるだけでも、引離し部材１２３によってクランパ部材１１４をターンテーブル１３から引離す向きの分力を得ることができる。
【０１１０】
更に、本実施の形態では、前部リンク部材１２４と後部リンク部材１２５とのリンクスパンを同一としているが、これに限るものではなく、後部リンク部材１２５のリンクスパンを前部リンク部材１２４のリンクスパンより若干長くすると、引離し部材がクランパに対して傾きを生じるので、前部リンク部材１２４、後部リンク部材１２５の回動に伴うクランパの引離し力を一層高めることができる。
【図面の簡単な説明】
【０１１１】
【図１】ディスク再生機を示す斜視図。
【図２】ディスク再生機を上ユニットと下ユニットとに分解して示す斜視図。
【図３】上ユニットを示す平面図。
【図４】下ユニットを示す平面図。
【図５】ディスク検知機構及びディスク径判別機構を示す平面図。
【図６】ディスク位置決め機構、クランプ機構及び駆動手段を示す平面図。
【図７】クランパの構成を示す分解斜視図。
【図８】リンク機構の構成を示す分解斜視図。
【図９】リンク機構の一部を示す断面図。
【図１０】ローディング機構を示す平面図。
【図１１】上ギヤ群の一部とギヤプレートとの関係を示す側面図。
【図１２】搬送手段及びディスクガイドの構成を示す分解斜視図。
【図１３】検知手段の構成を示す斜視図。
【図１４】主トラッキング調整手段の構成を示す側面図。
【図１５】主トラッキング調整手段の構成を示す平面図。
【図１６】副トラッキング調整手段の構成を示す側面図。
【図１７】回動部材取付機構の使用状態を示す断面図。
【図１８】支持部材を示す断面図。
【図１９】固定部材を示す側面図。
【図２０】ディスク再生機の使用状態を示す平面図。
【図２１】ディスク再生機の使用状態を示す平面図。
【図２２】ディスク再生機の使用状態を示す平面図。
【図２３】ディスク再生機の使用状態を示す平面図。
【図２４】ディスク再生機の使用状態を示す平面図。
【図２５】ターンテーブルからクランパを引離し部材で引離した状態を示す正面図
【図２６】ディスククランプ状態を示す正面図。
【符号の説明】
【０１１２】
１３    ターンテーブル
４１    ローディングモータ
４３，１６８，１６９，１７０，１７１，１７２  第一作動手段
１１０  クランパ
１６１  誘導ラック板
１６７，１７３，１７７  クラッチ手段
１７８  ローラ
１８０  スライダ
１９５  傾斜面（突カム）
１９７  ラック部
【図１８】
2008226338.tif 000004
【図１９】
2008226338.tif 000005
【図１】
2008226338.tif 000006
【図２】
2008226338.tif 000007
【図３】
2008226338.tif 000008
【図４】
2008226338.tif 000009
【図５】
2008226338.tif 000010
【図６】
2008226338.tif 000011
【図７】
2008226338.tif 000012
【図８】
2008226338.tif 000013
【図９】
2008226338.tif 000014
【図１０】
2008226338.tif 000015
【図１１】
2008226338.tif 000016
【図１２】
2008226338.tif 000017
【図１３】
2008226338.tif 000018
【図１４】
2008226338.tif 000019
【図１５】
2008226338.tif 000020
【図１６】
2008226338.tif 000021
【図１７】
2008226338.tif 000022
【図２０】
2008226338.tif 000023
【図２１】
2008226338.tif 000024
【図２２】
2008226338.tif 000025
【図２３】
2008226338.tif 000026
【図２４】
2008226338.tif 000027
【図２５】
2008226338.tif 000028
【図２６】
2008226338.tif 000029